(57)【要約】【課題】プラスチック素材からなるパーツの厚み・装着する位置及び形状に工夫を施すことにより、サポート力があり且つ足の痛みが発生し難くする。【解決手段】靴中敷きの本体部１０の材質はスポンジ素材を使用し、靴の内底部に接する側の本体部１０の下面の土踏まず部に足裏のアーチ部分を支えるアーチ形状に形成したプラスチック素材からなるパーツ２０を装着し、パーツ２０の厚みを０．５ｍｍ〜４．０ｍｍの範囲に設定し、パーツ２０の装着位置を土踏まず部の爪先側及び踵側の各境界部が靴の内底部に当接する各位置よりも内側に設定した。【選択図】図１
2012034754.tif 000002
【特許請求の範囲】
【請求項１】
靴の内底部に装入されて使用される靴中敷において、前記靴中敷きの本体部の材質はスポンジ素材を使用し、前記靴の内底部に接する側の前記本体部の下面の土踏まず部に足裏のアーチ部分を支えるアーチ形状に形成したプラスチック素材からなるパーツを装着し、前記パーツの厚みを０．５ｍｍ〜４．０ｍｍの範囲に設定し、前記パーツの装着位置を前記土踏まず部の爪先側及び踵側の各境界部が前記靴の内底部に当接する各位置よりも内側に設定したことを特徴とする靴中敷き。
【請求項２】
前記パーツの少なくとも爪先側及び踵側の各端部の厚みを漸次薄くなるように形成したことを特徴とする請求項１に記載の靴中敷き。
【請求項３】
前記パーツの爪先側をフラット形状に形成し、体重が移動してもニュートラルな位置にポジションが戻るようにしたことを特徴とする請求項１又は請求項２に記載の靴中敷き。
【請求項４】
前記パーツの爪先側中央部を突出形状に形成し、足裏の重心移動が行いやすいようにしたことを特徴とする請求項１又は請求項２に記載の靴中敷き。
【請求項５】
前記パーツのボトム側に設けた三日月状の内側アーチ支持部又は／及び逆三角形状の爪先側アーチ支持部の周縁にリブを形成し、足裏のアーチ部分を支える強度を向上したことを特徴とする請求項１乃至請求項４のいずれか１項に記載の靴中敷き。
【請求項６】
前記パーツのトップ側であって、前記アーチ支持部の円弧状に膨らんだボトム側周縁に対向する位置に沿って段差を形成したことを特徴とする請求項５に記載の靴中敷き。
【発明の詳細な説明】
【技術分野】
【０００１】
本発明は、スポンジ素材からなる本体部にプラスチック素材からなるパーツを装着した靴中敷きに関する。
【背景技術】
【０００２】
靴中敷きの材質には、クッション性に優れたスポンジ素材が多く使用されている。しかし、スポンジ素材はプラスチック素材と比べると柔軟性、反発力、復元性に劣るため、足の動きにマッチせず、運動を抑制する可能性があるという問題を有している。靴中敷きの材質にプラスチック素材を使用するメリットは、足に密着し、靭帯や筋肉と協調的に動き、足の運動を抑制することなく働きかけるため、より自然な運動が行えることにある。しかし、プラスチック素材の厚みが厚過ぎると足の靭帯や筋肉を固定しすぎるため、運動を抑制してしまう。一方、プラスチック素材の厚みが薄過ぎると、プラスチックに強度が出ないため足をコントロールすることができなくなる。
そこで、本願出願人は、柔軟性と反発力と復元性とを有するプラスチック素材を使用し、あらゆる方向に対して瞬間的に衝撃を吸収・緩和することができる靴中敷きを開発し、既に特許権を取得している（特許第３９４４５３６号公報、特許文献１）
【０００３】
一方、靴中敷きの性能をアップさせるために、スポンジ素材とプラスチック素材を併用することが従来から考えられている。
図１４は、スポンジ素材とプラスチック素材を併用した靴中敷きの断面図である。靴中敷きの本体部１００の材質はスポンジ素材を使用し、靴の内底部に接する側の本体部１００の下面の土踏まず部に足裏のアーチ部分を支えるアーチ形状に形成したプラスチック素材からなるパーツ１１０が装着されている。
図１４に示すように、パーツ１１０の装着位置を土踏まず部の爪先側及び踵側の各境界部が靴の内底部に当接する各位置（図中のＸ、Ｙ）に合わせて設定（図中のＸからＹまでの範囲をカバー）した場合、地面からの衝撃がプラスチック素材からなるパーツ１１０によって足裏に強く伝わるため、足に痛みが発生するという問題を有している。
【先行技術文献】
【特許文献】
【０００４】
【特許文献１】特許第３９４４５３６号公報
【発明の概要】
【発明が解決しようとする課題】
【０００５】
本発明は、靴中敷きのスポンジ素材からなる本体部にプラスチック素材からなるパーツを本体部の下面の土踏まず部に装着する場合、当該パーツの厚み・装着する位置及び形状に工夫を施すことにより、サポート力があり且つ足の痛みが発生し難くするようにした靴中敷きを提供することを目的とする。
【課題を解決するための手段】
【０００６】
上記の課題を解決するために、請求項１に記載の発明は、靴の内底部に装入されて使用される靴中敷において、前記靴中敷きの本体部の材質はスポンジ素材を使用し、前記靴の内底部に接する側の前記本体部の下面の土踏まず部に足裏のアーチ部分を支えるアーチ形状に形成したプラスチック素材からなるパーツを装着し、前記パーツの厚みを０．５ｍｍ〜４．０ｍｍの範囲に設定し、前記パーツの装着位置を前記土踏まず部の爪先側及び踵側の各境界部が前記靴の内底部に当接する各位置よりも内側に設定したことを特徴とする。
【０００７】
また、請求項２に記載の発明は、請求項１に記載の前記パーツの少なくとも爪先側及び踵側の各端部の厚みを漸次薄くなるように形成したことを特徴とする。
【０００８】
さらに、請求項３に記載の発明は、請求項１又は請求項２に記載の前記パーツの爪先側をフラット形状に形成し、体重が移動してもニュートラルな位置にポジションが戻るようにしたことを特徴とする。
【０００９】
また、請求項４に記載の発明は、請求項１又は請求項２に記載の前記パーツの爪先側中央部を突出形状に形成し、足裏の重心移動が行いやすいようにしたことを特徴とする。
【００１０】
加えて、請求項５に記載の発明は、請求項１乃至請求項４に記載の前記パーツのボトム側に設けた三日月状の内側アーチ支持部又は／及び逆三角形状の爪先側アーチ支持部の周縁にリブを形成し、足裏のアーチ部分を支える強度を向上したことを特徴とする。
【００１１】
また、請求項６に記載の発明は、請求項５に記載の前記パーツのトップ側であって、前記アーチ支持部の円弧状に膨らんだボトム側周縁に対向する位置に沿って段差を形成したことを特徴とする。
【発明の効果】
【００１２】
以上のように、本発明にかかる靴中敷きによれば、プラスチック素材からなるパーツの厚みを０．５ｍｍ〜４．０ｍｍの範囲に設定し、パーツの装着位置を土踏まず部の爪先側及び踵側の各境界部が前記靴の内底部に当接する各位置よりも内側に設定したので、サポート力があり且つ足の痛みが発生し難くすることが可能になる。また、プラスチック素材からなるパーツの爪先側及び踵側の各端部の厚みを漸次薄くなるように形成することにより、更に足の痛みが発生するのを抑えることができる。
また、プラスチック素材からなるパーツの爪先側をフラット形状又は突出形状に形成することにより、アーチサポート及び使用目的に応じたポジションコントロールを実現することができる。
また、プラスチック素材からなるパーツのボトム側に設けた三日月状の内側アーチ支持部又は／及び逆三角形状の爪先側アーチ支持部の周縁にリブを形成することにより、足裏のアーチ部分を支える強度を向上することができ、体重が異なっても同じアーチ形状を保つことが可能になる。さらに、パーツのトップ側であって、アーチ支持部の円弧状に膨らんだボトム側周縁に対向する位置に沿って段差を形成することにより、足裏のアーチ部分を支える強度を更に向上させることができる。このため、体重の重い人が長期間使用してもプラスチックがへたらず、アーチサポート効果を継続させることが可能になる。
【図面の簡単な説明】
【００１３】
【図１】本発明にかかる靴中敷きの断面構造を示す図である。
【図２】プラスチック素材からなるパーツ（右足用）の一例を示す図である。
【図３】プラスチック素材からなるパーツ（右足用）の他例を示す図である。
【図４】本発明にかかる靴中敷き（右足用）の第１実施例を示す正面図である。
【図５】本発明にかかる靴中敷き（右足用）の第１実施例を示す右側面図である。
【図６】本発明にかかる靴中敷き（右足用）の第１実施例を示す左側面図である。
【図７】本発明にかかる靴中敷き（右足用）の第１実施例を示す背面図である。
【図８】図４に示す靴中敷きに装着されたパーツ（右足用）の正面図である。
【図９】図４に示す靴中敷きに装着されたパーツ（右足用）の背面図である。
【図１０】図４に示す靴中敷きに装着されたパーツ（右足用）の断面構造を示す説明図である。
【図１１】本発明にかかる靴中敷き（右足用）の第２実施例を示す正面図である。
【図１２】図１１に示す靴中敷きに装着されたパーツ（右足用）の正面図である。
【図１３】図１１に示す靴中敷きに装着されたパーツ（右足用）の背面図である。
【図１４】靴中敷きの断面構造を示す説明図である。
【発明を実施するための形態】
【００１４】
以下、本発明の実施の一形態について図面を参酌しながら説明する。
【００１５】
図１は、本発明にかかる靴中敷きの断面構造を示す図である。
靴中敷きの本体部１０の材質はスポンジ素材を使用し、靴の内底部に接する側の本体部１０の下面の土踏まず部に足裏のアーチ部分を支えるアーチ形状に形成したプラスチック素材からなるパーツ２０が装着されている。
図１に示すように、パーツ２０の装着位置については、土踏まず部の爪先側及び踵側の各境界部が靴の内底部に当接する各位置（図中のＸ、Ｙ）よりも内側に設定されている（図中のｘからｙまでの範囲をカバーする）。また、パーツ２０の厚みについては、０．５ｍｍ〜４．０ｍｍの範囲に設定されている。
このようにパーツ２０の厚み及び装着位置を設定することにより、足を快適にサポートすると共に地面から足裏に伝わる衝撃が少なくなるため、プラスチック素材を装着した場合でも足の痛みが発生し難くなり、プラスチックの持つ反発性により運動を促進させることができる。
【００１６】
図２は、プラスチック素材からなるパーツ（右足用）の一例を示す図である（（ａ）はトップ、（ｂ）はインサイドを示す）。
図２に示すように、パーツ２０ａの外周縁端部の厚みは、漸次薄くなるように形成されている。上述したように、パーツの厚み及び装着位置の設定に加えて、パーツ２０ａの少なくとも爪先側端部２１ａ及び踵側端部２２ａの厚みが中央部分の厚みよりも薄くなるように形成されることにより、更に足の痛みが発生するのを抑えることができる。
また、パーツ２０ａは、安定感を高めるために爪先側をフラット形状に形成されており、あらゆる方向に体重が移動してもニュートラルな位置にポジションが戻るようにしている。
また、後述するように、パーツのボトム側に設けた内側アーチ支持部の周縁にリブ（図８参照）を形成する。更にはパーツのトップ側であって、内側アーチ支持部のボトム側周縁に対向する位置に沿って段差（図９・図１０参照）を形成することにより、足裏のアーチ部分を支える強度を向上させることができる。
【００１７】
図３は、プラスチック素材からなるパーツ（右足用）の他例を示す図である（（ａ）はトップ、（ｂ）はインサイドを示す）。
図３に示すように、パーツ２０ｂの外周縁端部の厚みは、漸次薄くなるように形成されている。上述したように、パーツの厚み及び装着位置の設定に加えて、パーツ２０ｂの少なくとも爪先側端部２１ｂ及び踵側端部２２ｂの厚みが中央部分の厚みよりも薄くなるように形成されることにより、更に足の痛みが発生するのを抑えることができる。
また、パーツ２０ｂは、足裏の重心移動が行いやすいように爪先側中央部を突出形状に形成されており、ウォーキングの際に足の踵外側から着地した時には外側にパーツ２０ｂが傾き、重心が前方向に移動する時には内側にパーツ２０ｂが傾くようにしている。
また、後述するように、パーツのボトム側に設けた内側アーチ支持部及び爪先側アーチ（中足骨アーチ）支持部の周縁にリブ（図１２参照）を形成する。更にはパーツのトップ側であって、内側アーチ支持部及び爪先側アーチ（中足骨アーチ）支持部のボトム側各周縁に対向する位置に沿って連続する段差（図１３参照）を形成することにより、足裏のアーチ部分を支える強度を向上させることができる。
【００１８】
（第１実施例）
図４乃至図７は、本発明にかかる靴中敷き（右足用）の第１実施例を示す正面図（ボトム）、右側面図（インサイド）、左側面図（アウトサイド）、背面図（トップ）である。
本発明にかかる靴中敷きの本体部１０の材質はスポンジ素材を使用し、靴の内底部に接する側の本体部１０の下面の土踏まず部に足裏のアーチ部分を支えるアーチ形状に形成したプラスチック素材からなるパーツ２０ｃが装着されている（図４参照）。
図４に示すように、パーツ２０ｃの装着位置については、土踏まず部の爪先側及び踵側の各境界部が靴の内底部に当接する各位置（図中のＸ、Ｙ）よりも内側に設定されている。また、パーツ２０ｃの厚みについては、０．５ｍｍ〜４．０ｍｍの範囲に設定されている。
【００１９】
図８は、図４に示す靴中敷きに装着されたパーツ（右足用）の正面図（ボトム）、図９は背面図（トップ）である。図１０は、パーツ（右足用）の断面構造を示す説明図である。
パーツ２０ｃの外周縁端部の厚みは、漸次薄くなるように形成されている。
また、パーツ２０ｃは、安定感を高めるために爪先側をフラット形状に形成されており、あらゆる方向に体重が移動してもニュートラルな位置にポジションが戻るようにしている。
また、図８に示すように、パーツ２０ｃのボトム側に設けた三日月状の内側アーチ支持部２３ｃの周縁にリブ２５が形成されており、足裏のアーチ部分を支える強度を向上させることができる。
また、図９及び図１０に示すように、パーツ２０ｃのトップ側であって、三日月状の内側アーチ支持部２３ｃの円弧状に膨らんだボトム側周縁２５に対向する位置に沿って段差２６が形成されており、足裏のアーチ部分を支える強度を更に向上させることができる。
以上のような構成を採用することにより、靴中敷きのスポンジ素材からなる本体部にプラスチック素材からなるパーツを本体部の下面の土踏まず部に装着する場合、足の痛みが発生し難くサポート力と安定感を向上させることが可能になる。
【００２０】
（第２実施例）
図１１は、本発明にかかる靴中敷き（右足用）の第２実施例を示す正面図（ボトム）である。なお、第２実施例を示す右側面図（インサイド）、左側面図（アウトサイド）、背面図（トップ）については、第１実施例の図面内容と同じであるため省略する。
本発明にかかる靴中敷きの本体部１０の材質はスポンジ素材を使用し、靴の内底部に接する側の本体部１０の下面の土踏まず部に足裏のアーチ部分を支えるアーチ形状に形成したプラスチック素材からなるパーツ２０ｄが装着されている（図１１参照）。
図１１に示すように、パーツ２０ｄの装着位置については、土踏まず部の爪先側及び踵側の各境界部が靴の内底部に当接する各位置（図中のＸ、Ｙ）よりも内側に設定されている。また、パーツ２０ｄの厚みについては、０．５ｍｍ〜４．０ｍｍの範囲に設定されている。
【００２１】
図１２は、図１１に示す靴中敷きに装着されたパーツ（右足用）の正面図（ボトム）、図１３は背面図（トップ）である。
パーツ２０ｄの外周縁端部の厚みは、漸次薄くなるように形成されている。
また、パーツ２０ｄは、足裏の重心移動が行いやすいように爪先側中央部を突出形状に形成されており、ウォーキングの際に足の踵外側から着地した時には外側にパーツ２０ｄが傾き、重心が前方向に移動する時には内側にパーツ２０ｄが傾くようにしている。
また、図１２に示すように、パーツ２０ｄのボトム側に設けた三日月状の内側アーチ支持部２３ｄ及び逆三角形状の爪先側アーチ（中足骨アーチ）支持部２４ｄの各周縁にリブ２５が形成されており、足裏のアーチ部分を支える強度を向上させることができる。
また、図１３に示すように、パーツ２０ｄのトップ側であって、三日月状の内側アーチ支持部２３ｄ及び逆三角形状の爪先側アーチ（中足骨アーチ）支持部２４ｄの円弧状に膨らんだボトム側各周縁２５に対向する位置に沿って連続する段差２６が形成されており、足裏のアーチ部分を支える強度を更に向上させることができる。
以上のような構成を採用することにより、靴中敷きのスポンジ素材からなる本体部にプラスチック素材からなるパーツを本体部の下面の土踏まず部に装着する場合、足の痛みが発生し難くサポート力と安定感を向上させることが可能になる。
【符号の説明】
【００２２】
１０  本体部
２０  パーツ
２１  爪先側端部
２２  踵側端部
２３  内側アーチ支持部
２４  爪先側アーチ（中足骨アーチ）支持部
２５  リブ
２６  段差
１００  本体部
１１０  パーツ
【図１】
2012034754.tif 000003
【図２】
2012034754.tif 000004
【図３】
2012034754.tif 000005
【図４】
2012034754.tif 000006
【図５】
2012034754.tif 000007
【図６】
2012034754.tif 000008
【図７】
2012034754.tif 000009
【図８】
2012034754.tif 000010
【図９】
2012034754.tif 000011
【図１０】
2012034754.tif 000012
【図１１】
2012034754.tif 000013
【図１２】
2012034754.tif 000014
【図１３】
2012034754.tif 000015
【図１４】
2012034754.tif 000016
【手続補正書】
【提出日】平成23年11月3日(2011.11.3)
【手続補正１】
【補正対象書類名】特許請求の範囲
【補正対象項目名】全文
【補正方法】変更
【補正の内容】
【特許請求の範囲】
【請求項１】
靴の内底部に装入されて使用される靴中敷において、前記靴中敷きの本体部の材質はスポンジ素材を使用し、前記靴の内底部に接する側の前記本体部の下面の土踏まず部に足裏のアーチ部分を支えるアーチ形状に形成したプラスチック素材からなるパーツを装着し、前記パーツの厚みを０．５ｍｍ〜４．０ｍｍの範囲に設定し、前記パーツの装着位置を前記土踏まず部の爪先側及び踵側の各境界部が前記靴の内底部に当接する各位置よりも内側に設定し、サポート力があり且つ足の痛みが発生し難くすることを可能にしたことを特徴とする靴中敷き。
【請求項２】
前記パーツの少なくとも爪先側及び踵側の各端部の厚みを漸次薄くなるように形成し、足の痛みが発生するのを抑えることを特徴とする請求項１に記載の靴中敷き。
【請求項３】
前記パーツの爪先側をフラット形状に形成し、あらゆる方向に体重が移動してもニュートラルな位置にポジションが戻るようにしたことを特徴とする請求項１又は請求項２に記載の靴中敷き。
【請求項４】
前記パーツの爪先側中央部を突出形状に形成し、ウォーキングの際に足裏の重心移動が行いやすいようにしたことを特徴とする請求項１又は請求項２に記載の靴中敷き。
【請求項５】
前記パーツのボトム側に設けた三日月状の内側アーチ支持部又は／及び逆三角形状の爪先側アーチ支持部の周縁にリブを形成し、足裏のアーチ部分を支える強度を向上したことを特徴とする請求項１乃至請求項４のいずれか１項に記載の靴中敷き。
【請求項６】
前記パーツのトップ側であって、前記アーチ支持部の円弧状に膨らんだボトム側周縁に対向する位置に沿って段差を形成したことを特徴とする請求項５に記載の靴中敷き。
【手続補正２】
【補正対象書類名】明細書
【補正対象項目名】０００６
【補正方法】変更
【補正の内容】
【０００６】
上記の課題を解決するために、請求項１に記載の発明は、靴の内底部に装入されて使用される靴中敷において、前記靴中敷きの本体部の材質はスポンジ素材を使用し、前記靴の内底部に接する側の前記本体部の下面の土踏まず部に足裏のアーチ部分を支えるアーチ形状に形成したプラスチック素材からなるパーツを装着し、前記パーツの厚みを０．５ｍｍ〜４．０ｍｍの範囲に設定し、前記パーツの装着位置を前記土踏まず部の爪先側及び踵側の各境界部が前記靴の内底部に当接する各位置よりも内側に設定し、サポート力があり且つ足の痛みが発生し難くすることを可能にしたことを特徴とする。
【手続補正３】
【補正対象書類名】明細書
【補正対象項目名】０００７
【補正方法】変更
【補正の内容】
【０００７】
また、請求項２に記載の発明は、請求項１に記載の前記パーツの少なくとも爪先側及び踵側の各端部の厚みを漸次薄くなるように形成し、足の痛みが発生するのを抑えることを特徴とする。
【手続補正４】
【補正対象書類名】明細書
【補正対象項目名】０００８
【補正方法】変更
【補正の内容】
【０００８】
さらに、請求項３に記載の発明は、請求項１又は請求項２に記載の前記パーツの爪先側をフラット形状に形成し、あらゆる方向に体重が移動してもニュートラルな位置にポジションが戻るようにしたことを特徴とする。
【手続補正５】
【補正対象書類名】明細書
【補正対象項目名】０００９
【補正方法】変更
【補正の内容】
【０００９】
また、請求項４に記載の発明は、請求項１又は請求項２に記載の前記パーツの爪先側中央部を突出形状に形成し、ウォーキングの際に足裏の重心移動が行いやすいようにしたことを特徴とする。